(57)【要約】【課題】  ＣＤやナビゲーション装置などを使用している状態で放送の受信状態を知ることができるようにする。【解決手段】  放送を受信するチューナ回路１１、１２、および映像信号を出力する信号源１３、１４の出力信号を選択するセレクタ回路１５を設ける。セレクタ回路１５により選択された音声信号が供給されるスピーカ２２と、セレクタ回路１５により選択された映像信号が供給されるディスプレイ２４と、制御回路３０とを設ける。制御回路３０は、セレクタ回路１５が映像信号を出力する信号源１３、１４を選択している場合に、この選択した信号源１３、１４から出力される映像信号を、セレクタ回路１５を通じてディスプレイ２４に供給して映像を表示する。これと同時に、チューナ回路１１、１２における放送の受信状態を示す信号を形成し、この信号をディスプレイ２４に供給して放送の受信状態をディスプレイ２４に表示する。【選択図】  図１
2008078708.tif 000002
【特許請求の範囲】
【請求項１】
音声信号および映像信号のうちの少なくとも一方を出力する複数の信号源と、
これら複数の信号源の出力信号を選択するセレクタ回路と、
このセレクタ回路により選択された音声信号が供給されるスピーカと、
上記セレクタ回路により選択された映像信号が供給されるディスプレイと、
制御回路と
を有し、
上記複数の信号源の一部として、
放送を受信するチューナ回路と、
映像信号を出力する信号源と
を有し、
上記制御回路は、
上記セレクタ回路が上記映像信号を出力する信号源を選択している場合に、この選択した信号源から出力される映像信号を、上記セレクタ回路を通じて上記ディスプレイに供給して映像を表示するとともに、
上記チューナ回路における放送の受信状態を示す信号を形成し、
この放送の受信状態を示す信号を上記ディスプレイに供給して上記放送の受信状態を示すマークを上記ディスプレイの一部に表示する
ようにしたＡＶ機器。
【請求項２】
請求項１に記載のＡＶ機器において、
上記マークは、上記放送の受信状態として、上記放送の受信品質のランクおよびその受信レベルを同時に示す
ようにしたＡＶ機器。
【発明の詳細な説明】
【技術分野】
【０００１】
この発明は、ＡＶ機器に関する。
【背景技術】
【０００２】
現在、一般的に受信できる放送として、ＢＳ放送、ＣＳ放送、デジタルテレビ放送、デジタルラジオ放送、アナログテレビ放送、アナログラジオ放送などがあるが、自動車に搭載した受信機でこれらの放送を受信すると、自動車の走行状態などによって受信状態が大きく変化してしまう。
【０００３】
例えば、ビルの立ち並ぶ地域では、目的とする電波を直接受信できなかったり、反射波がひどくなったりしてしまう。そして、このような受信状態を生じると、放送を適切に聴取（あるいは視聴）できないことがある。また、山間部などでも同様の事態を生じることが多い。
【０００４】
なお、先行技術文献として例えば以下のものがある。
【特許文献１】特開２００５−６４９９４号公報
【特許文献２】特開２００６−１００９０８号公報
【発明の開示】
【発明が解決しようとする課題】
【０００５】
ところで、自動車でナビゲーション装置を使用しながら走行している場合に、あるいはＣＤを再生しながら走行している場合に、交通情報やニュースなどを聴きたくなったときには、同乗者が「この場所で放送を受信できるかな？」と思いつつ信号源をチューナ（放送の受信）に切り換えることになる。
【０００６】
そして、放送を受信できれば、そのまま交通情報やニュースが放送されるのを待つことになる。しかし、上記のような理由で放送を適切に受信できないときには、信号源をもとのナビゲーション装置やＣＤの再生に戻すことになる。
【０００７】
つまり、放送を受信していない状態から放送を聴取する場合には、カーＡＶ装置を放送の受信モードに切り換え、その結果、放送を受信できれば、そのままとするが、放送を受信できなければ、もとの信号源に戻すことになる。しかし、このような確認方法や操作は非常に使い勝手が悪い。
【０００８】
この発明は、このような問題点を解決しようとするものである。
【課題を解決するための手段】
【０００９】
この発明においては、
音声信号および映像信号のうちの少なくとも一方を出力する複数の信号源と、
これら複数の信号源の出力信号を選択するセレクタ回路と、
このセレクタ回路により選択された音声信号が供給されるスピーカと、
上記セレクタ回路により選択された映像信号が供給されるディスプレイと、
制御回路と
を有し、
上記複数の信号源の一部として、
放送を受信するチューナ回路と、
映像信号を出力する信号源と
を有し、
上記制御回路は、
上記セレクタ回路が上記映像信号を出力する信号源を選択している場合に、この選択した信号源から出力される映像信号を、上記セレクタ回路を通じて上記ディスプレイに供給して映像を表示するとともに、
上記チューナ回路における放送の受信状態を示す信号を形成し、
この放送の受信状態を示す信号を上記ディスプレイに供給して上記放送の受信状態を示すマークを上記ディスプレイの一部に表示する
ようにしたＡＶ機器
とするものである。
【発明の効果】
【００１０】
この発明によれば、ナビゲーション装置などを使用している場合のように、放送を受信していない場合であっても、放送の受信状態がディスプレイに表示されるので、放送を聴きたくなったときには、単にディスプレイを見るだけで、放送を聴くことができるか否かを容易に知ることができる。
【発明を実施するための最良の形態】
【００１１】
図１において、符号１０はこの発明を適用したカーＡＶ装置の一例を示す。この例においては、このカーＡＶ装置１０は、信号源として、チューナ回路１１、１２、ディスクプレーヤ１３およびナビゲーション装置１４を有する。
【００１２】
この場合、チューナ回路１１は、地上デジタルテレビ放送を受信するためのものであり、後述するシステム制御用の制御回路３０から所定の制御信号を供給してチャンネルおよびサービスを指定すると、そのサービスの映像信号および音声信号を出力するものである。そして、その映像信号および音声信号はセレクタ回路１５に供給される。
【００１３】
また、チューナ回路１２は、ＦＭ放送およびＡＭ放送を受信するためのものであり、制御回路３０から所定の制御信号を供給して受信バンドおよび受信周波数を指定すると、その指定された放送の音声信号を出力するものである。そして、その音声信号もセレクタ回路１５に供給される。
【００１４】
さらに、ディスクプレーヤ１３は、ＣＤあるいはＤＶＤの再生を行うものであり、やはり制御回路３０からの制御信号により制御されて音声信号（および映像信号）の再生を行う。また、ナビゲーション装置１４は、例えばユーザの入力にしたがって所定の地図などを表示してナビゲーションを行うものであり、その地図として表示される映像信号（および音声信号）が出力される。そして、これらディスクプレーヤ１３およびナビゲーション装置１４からの音声信号および映像信号もセレクタ回路１５に供給される。
【００１５】
そして、セレクタ回路１５において、所望の音声信号および映像信号が選択されて取り出され、その取り出された音声信号がアンプ２１を通じてスピーカ２２に供給される。また、セレクタ回路１５により取り出された映像信号が、映像処理回路２３に供給され、必要に応じてＯＳＤなどの処理が行われてからディスプレイ、例えばカラー液晶パネル２４に供給される。
【００１６】
さらに、制御回路３０は、マイクロコンピュータにより構成されているものである。このため、制御回路３０は、各種のプログラムを実行するＣＰＵ３１、それらのプログラムが書き込まれているＲＯＭ３２、ワークエリア用のＲＡＭ３３などを有する。この場合、ＲＯＭ３２には、ＣＰＵ３１が実行するプログラムの一部として、例えば図２に示すようなルーチン１００が用意される。このルーチン１００の詳細については後述するが、図２においては、ルーチン１００は、この発明に関係する部分だけを抜粋して示している。
【００１７】
また、制御回路３０には、各種の操作スイッチ３４が接続されている。そして、操作スイッチ３４のうち、入力切り換えスイッチ（ファンクションスイッチ）を操作すると、制御回路３０からセレクタ回路１５に制御信号が供給され、チューナ回路１１、１２、ディスクプレーヤ１３あるいはナビゲーション装置１４の出力信号（音声信号や映像信号）が選択され、上述のようにスピーカ２１および液晶パネル２４に供給される。さらに、操作スイッチ３４を操作すると、上述のように、チューナ回路１１、１２における選局やサービスの選択、ディスクプレーヤ１３におけるＣＤやＤＶＤの再生などの制御、ナビゲーション装置１４への指示などが実行される。
【００１８】
さらに、チューナ回路１１から、地上デジタルテレビ放送の受信状態を示す信号としてＢＥＲ信号Ｓ11が取り出され、このＢＥＲ信号Ｓ11が制御回路３０に供給されて放送の受信状態にしたがって所定の変化をする表示信号Ｄ11が形成され、この表示信号Ｄ11が映像処理回路２３に供給される。
【００１９】
また、チューナ回路１２には、受信状態の検出回路（図示せず）が設けられ、この検出回路からは、ＦＭ・ＡＭ放送の受信状態を示す信号として、受信信号の例えばＣ／Ｎを示す検出信号Ｓ12が取り出され、この検出信号Ｓ12が制御回路３０に供給されて放送の受信状態にしたがって所定の変化をする表示信号Ｄ12が形成され、この表示信号Ｄ12が映像処理回路２３に供給される。
【００２０】
このような構成において、操作スイッチ３４を操作してディスクプレーヤ１３によりＣＤあるいはＤＶＤの再生を行う状態にした場合、あるいはナビゲーション装置１４によるナビゲーションを行う状態にした場合、ＣＰＵ３１の処理がルーチン１００のステップ１０１からスタートし、次にステップ１０２において、チューナ回路１１のＢＥＲ信号Ｓ11から地上デジタルテレビ放送の受信状態が判別されるとともに、検出信号Ｓ12からＦＭ・ＡＭ放送の受信状態が判別される。
【００２１】
このステップ１０２の判別処理は、所定の期間τ（例えば数分間）に渡って実行され、その期間τにおける平均の受信状態（受信品質）のランクを判定するものである。この受信状態のランクとしては、例えば、
ランクＡ：受信状態は正常であり、十分に放送を聴取（視聴）できる。  
ランクＢ：受信状態に問題があるが、放送の聴取（視聴）にあまり支障はない。 
ランクＣ：受信状態が悪く、放送の聴取（視聴）に適さない。  
がある。なお、このランク付けは、ＢＥＲ信号Ｓ11および検出信号Ｓ12について、独立に行われる。
【００２２】
そして、期間τのランクが判定されると、処理はステップ１０３に進み、このステップ１０３において、信号Ｓ11、Ｓ12からステップ１０２のランクにしたがった表示信号Ｄ11、Ｄ12が形成され、この表示信号Ｄ11、Ｄ12が映像処理回路２３を通じて液晶パネル２４に供給される。
【００２３】
この場合、例えば図３に示すように、表示信号Ｄ11により液晶パネル２４の表示画面の例えば左下に、地上デジタルテレビ放送の受信状態を示す棒状のマーク１１Ｍが、本来の画像に重畳して、あるいはスーパーインポーズされて表示される。そして、このとき、このマーク１１Ｍの色は、上述の受信状態のランクＡ〜Ｃに対応して変更されるもので、例えば、
ランクＡ：緑色
ランクＢ：黄色
ランクＣ：赤色
とされる。
【００２４】
同様に、例えば図３に示すように、表示信号Ｄ12により液晶パネル２４の表示画面の例えばマーク１１Ｍの下に、ＦＭ・ＡＭ放送の受信状態を示す棒状のマーク１２Ｍが表示される。そして、このとき、このマーク１２Ｍの色も、上述の地上デジタルテレビ放送の受信状態の場合と同様に変更される。
【００２５】
そして、処理はステップ１０３からステップ１０２に戻る。なお、ステップ１０３によるマーク１１Ｍ、１２Ｍの表示状態は、次にステップ１０３が実行されるまで保持される。
【００２６】
こうして、このカーＡＶ装置１０によれば、ＣＤやＤＶＤを再生している場合、あるいはナビゲーション装置１４を使用している場合、その裏で、地上デジタルテレビ放送やＦＭ・ＡＭ放送の受信状態を常に監視し、その監視結果を液晶パネル２４の画面に表示している。
【００２７】
したがって、ＣＤを再生しながら走行している場合に、あるいはナビゲーション装置１４を使用しながら走行している場合に、地上デジタルテレビ放送やＦＭ・ＡＭ放送を聴きたくなったときには、単に液晶パネル２４のマーク１１Ｍあるいは１２Ｍを見るだけで、それらの放送を聴くことができるか否かを知ることができる。
【００２８】
すなわち、「この場所で放送を受信できるかな？」と思いつつソースをチューナ（放送の受信）に切り換えたり、放送を適切に受信できないときに、ソースをもとのＣＤの再生やナビゲーション装置１４に戻す必要がない。したがって、放送を受信していない状態から放送を聴取しようとする場合、その使い勝手がよい。
【００２９】
図４において、符号１１０は、ＣＰＵ３１が実行するルーチンの他の例を示す。この例においては、チューナ回路１１から地上デジタルテレビ放送の受信レベルを示す検出信号が取り出されて制御回路３０に供給されるとともに、チューナ回路１２からＦＭ・ＡＭ放送の受信レベルを示す検出信号が取り出されて制御回路３０に供給される。
【００３０】
そして、操作スイッチ３４を操作してディスクプレーヤ１３によりＣＤあるいはＤＶＤの再生を行う状態にした場合、あるいはナビゲーション装置１４によるナビゲーションを行う状態にした場合、ＣＰＵ３１の処理がルーチン１１０のステップ１１１からスタートし、次にステップ１１２において、チューナ回路１１のＢＥＲ信号Ｓ11から地上デジタルテレビ放送のその時点での瞬間的な受信状態が判別されるとともに、検出信号Ｓ12からＦＭ・ＡＭ放送のその時点での瞬間的な受信状態が判別される。
【００３１】
そして、処理はステップ１１３に進み、このステップ１１３において、信号Ｓ11、Ｓ12から所定の表示信号Ｄ11、Ｄ12が形成され、この表示信号Ｄ11、Ｄ12が映像処理回路２３を通じて液晶パネル２４に供給される。
【００３２】
こうして、この例においては、例えば図５に示すように、表示信号Ｄ11により液晶パネル２４の表示画面の例えば左下に地上デジタルテレビ放送の受信レベルに対応して長さの変化する棒状のマーク１１Ｍが表示される。また、マーク１１Ｍの下に、ＦＭ・ＡＭ放送の受信レベルに対応して長さの変化する棒状のマーク１２Ｍが表示される。さらに、このとき、地上デジタルテレビ放送の受信信号のＢＥＲおよびＦＭ・ＡＭ放送の受信信号のＣ／Ｎに対応して、すなわち、それぞれの放送の受信ランクに対応して、マーク１１Ｍ、１２Ｍの色が図３の場合のように変更される。
【００３３】
したがって、ＣＤを再生しながら走行している場合に、あるいはナビゲーション装置１４を使用しながら走行している場合に、地上デジタルテレビ放送やＦＭ・ＡＭ放送を聴きたくなったときには、単に液晶パネル２４のマーク１１Ｍあるいは１２Ｍを見るだけで、それらの放送を聴くことができるか否かを知ることができる。
【００３４】
図６は、地上デジタルテレビ放送およびＦＭ・ＡＭ放送の受信状態をマーク１１Ｍ、１２Ｍにより表示するとき、そのマーク１１Ｍ、１２Ｍを同心円（２重円）にした場合である。すなわち、マーク１１Ｍ、１２Ｍの外側の円は、一定の大きさに固定されているが、内側の円は、地上デジタルテレビ放送あるいはＦＭ・ＡＭ放送の受信レベルに対応して大きさが変更される。さらに、内側の円は、図３の場合のように受信ランクに対応した色により塗りつぶされる。なお、このとき、内側の円の大きさおよび塗りつぶすときの色は、図２の場合のように期間τの平均値にしたがってもよく、あるいは図４の場合のように瞬間値にしたがってもよい。
【００３５】
したがって、この場合、地上デジタルテレビ放送やＦＭ・ＡＭ放送を聴きたくなったときには、単に液晶パネル２４のマーク１１Ｍあるいは１２Ｍを見るだけで、それらの放送を聴くことができるか否かを知ることができる。
【００３６】
なお、上述において、マーク１１Ｍ、１２Ｍの表示の許可・禁止を設定できるようにしてもよい。また、マーク１１Ｍ、１２Ｍの形状、色、表示位置などの表示態様も、例えばユーザが設定するようにしてもよい。
【００３７】
さらに、上述においては、自動車に搭載したＡＶ装置の場合であるが、いわゆるノートパソコン、記録メディアとして不揮発性メモリやＨＤＤなどを使用したポータブル音楽プレーヤなどと、上記のような移動体受信機（チューナ回路）とを一体化した機器にも、この発明を適用できる。また、タッチパネルが採用した機器の場合には、放送の受信を選択するためのアイコンを、その放送の受信状態にしたがって例えば図３の場合のように色分けすることもできる。さらに、予約をしておいたデジタル放送の録画や視聴が開始されるときに、ユーザが、その録画や視聴を実際に開始するか否かを判断するために使用することもできる。
【００３８】
〔略語の一覧〕
ＡＭ  ：Amplitude Modulation
ＡＶ  ：Audio and Visual
ＢＥＲ：Bit Error Rate
ＢＳ  ：Broadcasting Satellite
Ｃ／Ｎ：Carrier to Noise ratio
ＣＤ  ：Compact Disc
ＣＰＵ：Central Processing Unit
ＣＳ  ：Communication Satellite
ＦＭ  ：Frequency Modulation
ＨＤＤ：Hard Disk Drive
ＯＳＤ：On Screen Display
ＲＡＭ：Random Access Memory
ＲＯＭ：Read Only Memory
【図面の簡単な説明】
【００３９】
【図１】この発明の一形態を示す系統図である。
【図２】この発明の一形態を示すフローチャートである。
【図３】表示状態の一例を示す図である。
【図４】この発明の他の形態を示すフローチャートである。
【図５】表示状態の他の例を示す図である。
【図６】表示状態の他の例を示す図である。
【符号の説明】
【００４０】
１０…カーＡＶ装置、１１…地上デジタルテレビ放送用チューナ回路、１２…ＦＭ・ＡＭ放送用チューナ回路、１３…ディスクプレーヤ、１４…ナビゲーション装置、２４…カラー液晶パネル、３０…制御回路
【図１】
2008078708.tif 000003
【図２】
2008078708.tif 000004
【図３】
2008078708.tif 000005
【図４】
2008078708.tif 000006
【図５】
2008078708.tif 000007
【図６】
2008078708.tif 000008